(57)【特許請求の範囲】
【請求項１】
回転操作可能な円盤状の操作子と、
(i)前記操作子を回転可能に保持すると共に、前記操作子の回転に伴って回転する第１保持部分、及び(ii)当該第１保持部分を挟み込むと共に、前記第１保持部分よりも径が細い第２保持部分を備える少なくとも一つの保持部材と、
前記第２保持部分と接触することで前記保持部材を回転可能に保持すると共に、前記保持部材の回転軸方向における前記保持部材の両端に隣接又は近接する位置に弾性部材を備えるベース部材と
を備え、
前記ベース部材は、(i)前記保持部材の回転軸方向に直交する方向で前記第２保持部分を保持する第１ベース部分、及び(ii)前記保持部材の回転軸方向に沿った方向で前記第２保持部分を保持する第２ベース部分を備え、
前記第２ベース部分は、前記保持部材の回転軸方向において前記第２保持部分と隣接又は近接する位置に前記弾性部材を備えており、
前記弾性部材は、前記第２保持部分が前記弾性部材に衝突することによって前記第１保持部分が前記第１ベース部分に衝突するときの衝撃が和らげられるような位置に配置されていることを特徴とする操作装置。
【請求項２】
前記保持部材の回転軸方向における前記保持部材の両端と、前記弾性部材との間に所定の大きさの間隙を備えることを特徴とする請求項１に記載の操作装置。
【請求項３】
前記保持部材の回転軸方向における前記保持部材の両端は、該両端以外の部分よりも径が細いことを特徴とする請求項１に記載の操作装置。
【請求項４】
前記弾性部材は、前記保持部材の回転軸方向に沿って湾曲可能な板状の樹脂を含むことを特徴とする請求項１に記載の操作装置。
【請求項５】
前記弾性部材は、前記ベース部材と同一の材料を含むことを特徴とする請求項１に記載の操作装置。
【請求項６】
前記弾性部材は、前記ベース部材とは異なる材料を含むことを特徴とする請求項１に記載の操作装置。
【請求項７】
回転操作可能な円盤状の操作子と、
(i-1)前記操作子を回転可能に保持する保持面、及び(i-2)前記保持面と垂直な位置関係にある回転面であって且つ前記保持面の回転方向と平行な位置関係にある回転面を備えると共に、(ii)前記操作子の回転に伴って回転する少なくとも一つの保持部材と、
前記保持部材の前記回転面から前記保持部材の回転軸方向に沿って伸長するシャフトと、
前記シャフトを保持することにより、前記保持部材を回転可能に保持するベース部材と
を備えており、
前記保持部材又は前記ベース部材は、前記保持部材の回転軸方向に沿った前記保持部材の前記回転面と前記ベース部材との間の位置であって且つ前記ベース部材と隣接する位置又は前記保持部材と隣接する位置に弾性部材を備え、
前記ベース部材と前記保持部材の前記回転面とが前記弾性部材を介して衝突することによって、前記保持部材が前記ベース部材に衝突するときの衝撃が和らげられることを特徴とする操作装置。
【請求項８】
前記弾性部材は、前記保持部材と同一の材料を含むことを特徴とする請求項７に記載の操作装置。
【請求項９】
前記弾性部材は、前記保持部材とは異なる材料を含むことを特徴とする請求項７に記載の操作装置。
【請求項１０】
請求項１に記載の操作装置と、
前記操作装置による操作内容に応じて、所定のデータを再生する再生手段と
を備えることを特徴とする再生装置。
【請求項１１】
請求項７に記載の操作装置と、
前記操作装置による操作内容に応じて、所定のデータを再生する再生手段と
を備えることを特徴とする再生装置。
【発明の詳細な説明】
【技術分野】
【０００１】
本発明は、ＤＪ機器等に備えられているジョグダイヤル等の操作装置、及びＤＪ機器等を含む再生装置に関する。
【背景技術】
【０００２】
近年、ＣＤやＤＶＤ等の、デジタル信号によるデータの記録及び再生が可能な記録媒体が普及している。それに伴って、デジタル信号に起因した特有の再生処理を行う情報再生装置も開発が進められている。例えば、ＣＤやＤＶＤには、複数の楽曲（即ち、コンテンツデータ）が、相互に関連付けられて記録されている。より具体的には、例えば、所定の再生時間を有する各楽曲が、トラック番号により区別された複数のデータ群として記録されている。このため、情報再生装置は、各楽曲の先頭アドレスをサーチして再生する頭出し再生や、各楽曲の再生順序を任意に変えるランダム再生等を行うことができる。【０００３】
更には、二つ以上の情報再生装置を用いて、夫々の情報再生装置において再生される楽曲のビート（言い換えれば、拍）の位置や間隔や強弱等を一致させながら連続再生することにより、二つ以上の楽曲をまるでつながっている一つの楽曲として再生したり、あるいは二つ以上の楽曲を重ね合わせて再生することもできる。つまりは、複数の楽曲を連続して或いは同時に、視聴者に違和感を感じさせることなく再生することができる。係る操作は、一般的にはミキシング操作と呼ばれている。【０００４】
このようなランダム再生やミキシング再生等は、例えばユーザがジョグダイヤルを回転操作することで実行される。そして、ジョグダイヤルを備えている情報再生装置は、ＤＪ（Ｄｉｓｃ  Ｊｏｃｋｅｙ）機器等がその代表的な例としてあげられる。【０００５】
【特許文献１】特許第３５８７６６９号公報
【発明の開示】
【発明が解決しようとする課題】
【０００６】
一般的にジョグダイヤルは、回転可能な操作子がローラーにより支えられている。そして、ローラーは、その軸が軸受け部分に支えられることで、操作子の回転と共に回転可能に構成されている。このとき、ローラーの回転に伴って、ローラーと軸受け部分とが衝突することが起こり得る。特に、軸受け部分は、ローラーの回転軸方向に直交する方向においてローラーを支えているに過ぎないため、ローラーの回転軸方向に沿った方向においてローラーが移動すれば、ローラーと軸受け部分とが衝突することが起こり得る。この衝突によって、「カチカチ」等のノイズが発生する。そして、回転子を安定的に支えるために、ローラーが複数箇所に設けられていることから、該複数箇所の夫々から「カチカチ」等のノイズが発生し得る。このノイズは、場合によっては非常にうるさく、品位のない印象をユーザに与えかねない。【０００７】
ここで、ローラーと軸受け部分との隙間にグリス等の潤滑油を塗布することで、上述の衝突によるノイズを低減させる対策が考えられる。しかしながら、ローラーが複数箇所に設けられていることから、グリス等の塗布に非常に手間が係ってしまう。更には、経年と共にグリス等が流れ出し、電子回路（ないしは、電気的な接点）等に付着してしまうおそれがある。この場合、接点不良等の不都合を引き起こしかねない。【０００８】
本発明が解決しようとする課題には上記のようなものが一例として挙げられる。本発明は、不快なノイズの発生を低減させることを可能とならしめる操作装置及び再生装置を提供することを課題とする。
【課題を解決するための手段】
【０００９】
（操作装置）
上記課題を解決するために、本発明の第１操作装置は、回転操作可能な円盤状の操作子と、前記操作子を回転可能に保持すると共に、前記操作子の回転に伴って回転する少なくとも一つの保持部材と、前記保持部材を回転可能に保持すると共に、前記保持部材の回転軸方向における前記保持部材の両端に隣接又は近接する位置に弾性部材を備えるベース部材とを備える。【００１０】
本発明の第１操作装置によれば、例えばユーザが円盤状の操作子を回転させることで、該回転に応じた各種操作を行うことができる。操作子は、一又は複数の保持部材によって保持されている。保持部材は、操作子の回転に伴って保持部材自体が回転することで、操作子が回転可能なように操作子を保持している。そして、保持部材は、ベース部材によって保持されている。ベース部材は、保持部材が回転可能なように保持部材を保持している。【００１１】
第１操作装置では特に、ベース部材は、保持部材の回転軸方向における保持部材の両端に隣接又は近接する位置に弾性部材を備えている。ここに、本発明における「弾性部材」とは、それ自体が弾性体である部材を含む他、それ自体が弾性体以外の部材（例えば、剛体等）であってもその形状によって弾性体の如き作用を実現する部材をも含む趣旨である。本発明における「弾性部材」の一具体例として、例えば板状の樹脂バネや、金属製の板バネや、コイルスプリングや、各種ゴム等があげられる。【００１２】
操作子の回転操作に伴って、保持部材が、保持部材の回転軸方向に沿った方向に移動した場合、保持部材の両端は、弾性部材に衝突する。この場合、保持部材の両端が弾性部材以外の部材に衝突した場合と比較して、保持部材の衝突の衝撃が吸収される又は和らげられる。従って、保持部材の衝突によって生ずるノイズ（即ち、保持部材の回転軸方向に沿った方向に保持部材が移動することによって生ずるノイズ）を相対的に低減させることができる。このため、ユーザが操作子を操作している際に不要なノイズの発生を抑えることができ、ユーザに不快な印象を与えない。【００１３】
加えて、保持部材の衝突の衝撃を吸収又は和らげるためにグリス等の潤滑油を塗布する必要がなくなるため、操作装置を製造する際の負担を軽減することができる。更には、グリス等の潤滑油が流れ出すことで接点不良等の不都合が生ずるリスクをなくすことができる。【００１４】
以上説明したように、第１操作装置によれば、不快なノイズの発生を低減させることができる。【００１５】
本発明の第１操作装置の一の態様は、前記保持部材は、前記操作子と接触する第１保持部分と、当該第１保持部分を挟み込むと共に、前記ベース部材と接触し且つ前記第１保持部分よりも径が細い第２保持部分とを備えており、前記ベース部材は、前記保持部材の回転軸方向において前記第２保持部分と隣接又は近接する位置に前記弾性部材を備える。【００１６】
この態様によれば、例えば略円柱状の第１保持部分が操作子に接触しながら回転することで、操作子が回転可能に保持される。例えば略円柱状の第２保持部分がベース部材に接触しながら回転することで、保持部材全体が回転可能に保持される。そして、ベース部分に保持されている第２保持部分が弾性部材に衝突するため、該衝突によって生ずるノイズ（即ち、保持部材の回転軸方向に沿った方向に保持部材が移動することによって生ずるノイズ）の発生を抑えることができる。【００１７】
本発明の第１操作装置他の態様は、前記保持部材は、前記操作子と接触する第１保持部分と、当該第１保持部分を挟み込むと共に、前記ベース部材と接触し且つ前記第１保持部分よりも径が細い第２保持部分とを備えており、前記ベース部材は、前記保持部材の回転軸方向に直交する方向で前記第２保持部分を保持する第１ベース部分と、前記保持部材の回転軸方向に沿った方向で前記第２保持部分を保持する第２ベース部分とを備えており、前記第２ベース部分は、前記保持部材の回転軸方向において前記第２保持部分と隣接又は近接する位置に前記弾性部材を含んでいる。【００１８】
この態様によれば、例えば略円柱状の第１保持部分が操作子に接触しながら回転することで、操作子が回転可能に保持される。例えば略円柱状の第２保持部分が第１ベース部分に接触しながら回転することで、保持部材全体が回転可能に且つ保持部材の回転軸方向に直交する方向において保持される。同様に、例えば略円柱状の第２保持部分が第２ベース部分に接触しながら回転することで、保持部材全体が回転可能に且つ保持部材の回転軸方向に沿った方向において保持される。そして、第２ベース部分が弾性部材を備えていることにより、第２保持部分が弾性部材に衝突し、該衝突によって生ずるノイズ（即ち、保持部材の回転軸方向に沿った方向に保持部材が移動することによって生ずるノイズ）の発生を抑えることができる。【００１９】
本発明の第１操作装置の他の態様は、前記保持部材の回転軸方向における前記保持部材の両端と、前記弾性部材との間に所定の大きさの間隙を備える。【００２０】
この態様によれば、操作子の回転操作に伴って保持部材が円滑に回転すると共に、上述の如くノイズの発生を抑えることができる。従って、操作子を操作するユーザに違和感を感じさせることなく、上述した各種利益を享受することができる。【００２１】
本発明の第１操作装置の他の態様は、前記保持部材の回転軸方向における前記保持部材の両端は、該両端以外の部分よりも径が細い。【００２２】
この態様によれば、保持部材の両端と弾性部材とが衝突した場合であっても、保持部材は円滑に回転することができる。従って、操作子を操作するユーザに違和感を感じさせることなく、上述した各種利益を享受することができる。【００２３】
保持部材の回転軸方向における保持部材の両端は、例えば錐状であってもよい。或いは、錐状に限らず、弾性部材との接触面積を相対的に小さくすることができれば、どのような形状であってもよい。言い換えれば、保持部材の回転軸方向における保持部材の両端は、保持部材の円滑な回転を妨げない程度にしか弾性部材と接触しなければ、どのような形状であってもよい。【００２４】
本発明の第１操作装置の他の態様は、前記弾性部材は、前記保持部材の回転軸方向に沿って湾曲可能な板状の樹脂を含む。【００２５】
この態様によれば、比較的簡易な形状によって弾性部材を構成することができる。【００２６】
本発明の第１操作装置の他の態様は、前記弾性部材は、前記ベース部材と同一の材料を含む。【００２７】
この態様によれば、ベース部材を製造する際に、弾性部材を一体成型することができる。このため、弾性部材を備えたベース部材の製造に係る負担を軽減することができる。【００２８】
本発明の第１操作装置の他の態様は、前記弾性部材は、前記ベース部材とは異なる材料を含む。【００２９】
この態様によれば、弾性部材の弾性係数等を任意に選択することができる。このため、ノイズの発生の低減の程度や弾性部材の剛性の程度を任意に設定することができる。つまり、操作装置の設計の幅を広げることができる。【００３０】
上記課題を解決するために、本発明の第２操作装置は、回転操作可能な円盤状の操作子と、前記操作子を回転可能に保持すると共に、前記操作子の回転に伴って回転する少なくとも一つの保持部材と、前記保持部材を回転可能に保持するベース部材とを備えており、前記保持部材は、前記保持部材の回転軸方向において前記ベース部材と隣接又は近接する位置に弾性部材を備える。【００３１】
本発明の第２操作装置によれば、第１操作装置と同様に、例えばユーザが円盤状の操作子を回転させることで、該回転に応じた各種操作を行うことができる。操作子は、一又は複数の保持部材によって保持されている。保持部材は、操作子の回転に伴って保持部材自体が回転することで、操作子が回転可能なように操作子を保持している。そして、保持部材は、ベース部材によって保持されている。ベース部材は、保持部材が回転可能なように保持部材を保持している。【００３２】
第２操作装置では特に、保持部材は、保持部材の回転軸方向においてベース部材と隣接又は近接する位置に弾性部材を備えている。操作子の回転操作に伴って、保持部材が、保持部材の回転軸方向に沿った方向に移動した場合、保持部材が備える弾性部材は、ベース部材に衝突する。この場合、保持部材が備える弾性部材以外の部材がベース部材に衝突した場合と比較して、保持部材の衝突の衝撃が吸収される又は和らげられる。従って、保持部材の衝突によって生ずるノイズ（即ち、保持部材の回転軸方向に沿った方向に保持部材が移動することによって生ずるノイズ）を相対的に低減させることができる。このため、ユーザが操作子を操作している際に不要なノイズの発生を抑えることができ、ユーザに不快な印象を与えない。【００３３】
加えて、保持部材の衝突の衝撃を吸収又は和らげるためにグリス等の潤滑油を塗布する必要がなくなるため、操作装置を製造する際の負担を軽減することができる。更には、グリス等の潤滑油が流れ出すことで接点不良等の不都合が生ずるリスクをなくすことができる。【００３４】
以上説明したように、第２操作装置によれば、第１操作装置と同様の利益を享受することができる。【００３５】
本発明の第２操作装置の一の態様は、前記保持部材は、前記操作子と接触する第１保持部分と、当該第１保持部分を挟み込むと共に、前記ベース部材と接触し且つ前記第１保持部分よりも径が細い第２保持部分と、前記第１保持部分及び前記第２保持部分の夫々に挟みこまれる第３保持部分とを備えており、前記第３保持部分は、前記保持部材の回転軸方向において前記ベース部材と隣接又は近接する位置に前記弾性部材を備える。【００３６】
この態様によれば、例えば略円柱状の第１保持部分が操作子に接触しながら回転することで、操作子が回転可能に保持される。例えば略円柱状の第２保持部分がベース部材に接触しながら回転することで、保持部材全体が回転可能に保持される。そして、第１保持部分及び第２保持部分に挟み込まれる第３保持部分が備える弾性部材がベース部材に衝突することによって生ずるノイズ（即ち、保持部材の回転軸方向に沿った方向に保持部材が移動することによって生ずるノイズ）の発生を抑えることができる。【００３７】
本発明の第２操作装置の他の態様は、前記保持部材は、前記操作子と接触する第１保持部分と、当該第１保持部分を挟み込むと共に、前記ベース部材と接触し且つ前記第１保持部分よりも径が細い第２保持部分と、前記第１保持部分及び前記第２保持部分の夫々に挟みこまれる第３保持部分とを備えており、前記ベース部材は、前記保持部材の回転軸方向に直交する方向で前記第２保持部分と接触する第１ベース部分と、前記保持部材の回転軸方向に沿った方向で前記第３保持部分と接触する第２ベース部分とを備えており、前記第３保持部分は、前記保持部材の回転軸方向において前記第２ベース部分と隣接又は近接する位置に前記弾性部材を備えている。【００３８】
この態様によれば、例えば略円柱状の第１保持部分が操作子に接触しながら回転することで、操作子が回転可能に保持される。例えば略円柱状の第２保持部分が第１ベース部分に接触しながら回転することで、保持部材全体が回転可能に且つ保持部材の回転軸方向に直交する方向において保持される。同様に、例えば略円柱状の第３保持部分が第２ベース部分に接触しながら回転することで、保持部材全体が回転可能に且つ保持部材の回転軸方向に沿った方向において保持される。そして、第３保持部分が弾性部材を備えていることにより、第３保持部分が備える弾性部材が第２ベース部分に衝突することによって生ずるノイズ（即ち、保持部材の回転軸方向に沿った方向に保持部材が移動することによって生ずるノイズ）の発生を抑えることができる。【００３９】
本発明の第２操作装置の他の態様は、前記弾性部材は、前記保持部材と同一の材料を含む。【００４０】
この態様によれば、保持部材を製造する際に、弾性部材を一体成型することができる。このため、弾性部材を備えた保持部材の製造に係る負担を軽減することができる。【００４１】
本発明の第２操作装置の他の態様は、前記弾性部材は、前記保持部材とは異なる材料を含む。【００４２】
この態様によれば、弾性部材の弾性係数等を任意に選択することができる。このため、ノイズの発生の低減の程度や弾性部材の剛性の程度を任意に設定することができる。つまり、操作装置の設計の幅を広げることができる。【００４３】
（再生装置）
上記課題を解決するために、本発明の再生装置は、上述した本発明の第１又は第２操作装置（但し、それらの各種態様を含む）と、前記操作装置による操作内容に応じて、所定のデータを再生する再生手段とを備える。【００４４】
本発明の再生装置によれば、上述した本発明の第１又は第２操作装置が有する各種利益と同様の利益を享受しつつ、例えば記録媒体等に記録されたデータ（例えば、映像データや音楽データ等）を好適に再生することが可能となる。【００４５】
尚、上述した本発明の第１又は第２操作装置における各種態様に対応して、本発明に係る再生方法も各種態様を採ることが可能である。【００４６】
本発明のこのような作用及び他の利得は次に説明する実施例から更に明らかにされる。【００４７】
以上説明したように、本発明の第１操作装置によれば、操作子と、保持部材と、弾性部材を備えるベース部材とを備える。本発明の第２操作装置によれば、操作子と、弾性部材を備える保持部材と、ベース部材とを備える。本発明の再生装置によれば、本発明の第１又は第２操作装置と、再生手段とを備える。従って、不快なノイズの発生を低減させることができる。
【図面の簡単な説明】
【００４８】
【図１】本実施例に係る光ディスク再生装置の基本構成を概念的に示すブロック図である。
【図２】本実施例に係る光ディスク再生装置の特に操作部の外観を概念的に示す平面図である。
【図３】ジョグダイヤルを操作部より外した場合の操作部の外観（言い換えれば、ジョグダイヤルを支える構造）を概念的に示す平面図である。
【図４】ジョグダイヤルを支えるローラー等の構成を具体的に示す斜視図である。
【図５】ローラーがローラーの回転軸方向に沿った方向に移動していない場合の、ローラー及びローラー保持部の様子を概念的に示す平面図である。
【図６】ローラーがローラーの回転軸方向に沿った方向に移動している場合の、ローラー及びローラー保持部の様子を概念的に示す平面図である。
【図７】変形例に係るジョグダイヤルを支えるローラー等の構成を具体的に示す平面図である。
【符号の説明】
【００４９】
１  光ディスク再生装置
４０  操作部
４１  ジョグダイヤル
４１１、４２１  ローラー
４１２、４２２  ローラー保持部
４１１１、４２１１  第１ローラー
４１１２ａ、４１１２ｂ、４２１２ａ、４２１２ｂ  シャフト
４２１３ａ、４２１３ｂ  第２ローラー
４１２１ａ、４１２１ｂ、４２２１ａ、４２２１ｂ  軸受け部
４１２２ａ、４１２２ｂ  樹脂バネ
【発明を実施するための最良の形態】
【００５０】
以下、本発明を実施するための最良の形態について実施例毎に順に図面に基づいて説明する。尚、以下の実施例は、再生速度制御、テンポ制御及び巻き戻し再生等に代表される各種再生機能を有するＣＤプレーヤないしはＤＶＤプレーヤ等の光ディスク再生装置に対して、本発明の情報再生装置を適用した場合の実施例である。また、以下に説明する本実施例に係る光ディスク再生装置は、クラブやディスコ等の舞踏場において、音楽データないしは映像データに対して様々な特殊効果（イフェクト）を付加しつつ連続的に再生する際に用いられるＤＪ機器として用いられる。尚、本実施例における「ＤＪ」とは、単に音楽のみならず、映像等をも含めた広い意味でのコンテンツデータを、特殊な技法を用いて再生することを示す趣旨である。【００５１】
（１）基本構成
初めに、図１及び図２を参照しながら、本実施例に係る光ディスク再生装置の基本構成について説明を進める。ここに、図１は、本実施例に係る光ディスク再生装置の基本構成を概念的に示すブロック図であり、図２は、本実施例に係る光ディスク再生装置の特に操作部の外観を概念的に示す平面図である。【００５２】
図１に示すように、光ディスク再生装置１は、光ピックアップ（ＰＵ：Pick Up）１０と、ＲＦ（Radio Frequency）アンプ１１と、スピンドルモータ１２と、サーボ機構１３と、ピックアップサーボ回路１４と、コンテンツデータデコード部１５と、復号化部１６と、コントロールデータデコード部１７と、スピンドルサーボ回路１８と、外部出力端子６０と、システムコントローラ２０と、メモリ２１と、操作部４０と、表示部５０とを備える。【００５３】
光ピックアップ１０は、光ディスク１００からコンテンツデータ及びコントロールデータを読み取るためのもので、半導体レーザ装置、各種レンズ、アクチュエータ等から構成される。より詳細には、光ピックアップ１０は、光ディスク１００に対してレーザ光ＬＢを、所定のパワーで照射する。また、光ディスク１００からのレーザ光ＬＢの反射光を受光するためのＰＤ（Photo Detector）センサを備えており、受光された反射光を読取信号としてＲＦアンプ１１へ出力する。【００５４】
光ピックアップ１０は、サーボ機構１３の制御により駆動される図示しないアクチュエータ、スライダ等により、トラッキングエラー信号に応じて光ディスク１００の半径方向等に移動できるように構成されている。加えて、サーボ機構１３の制御により、フォーカスエラー信号に応じてレーザ光ＬＢの焦点を変化させ、フォーカス制御可能に構成されている。【００５５】
ＲＦアンプ１１は、光ピックアップ１０から出力される読取信号に基づいてＲＦ信号を生成し、生成されたＲＦ信号を、コンテンツデータデコード部１５及びコントロールデータデコード部１７の夫々へ出力する。また、ＲＦアンプ１１は、光ピックアップ１０から出力される読取信号に基づいて、光ピックアップ１０が光ディスク１００へレーザ光ＬＢを照射する際のフォーカスを制御するためのフォーカスエラー信号及び光ピックアップ１０が光ディスク１００へレーザ光ＬＢを照射する際のトラッキングを制御するためのトラッキングエラー信号等の誤差信号を生成する。生成された誤差信号は、ピックアップサーボ回路１４へ出力される。【００５６】
スピンドルモータ１２は、スピンドルサーボ回路１８によりスピンドルサーボを受けつつ所定速度で光ディスク１００を回転させるように構成されている。【００５７】
サーボ機構１３は、ピックアップサーボ回路１４から出力されるトラッキングサーボ制御信号に基づいて、光ピックアップ１０を光ディスク１００の径方向に移動させる。また、ピックアップサーボ回路１４から出力されるフォーカスサーボ制御信号に基づいて、光ピックアップ１０に含まれる対物レンズを、レーザ光ＬＢの光軸に沿って移動させる。【００５８】
ピックアップサーボ回路１４は、ＲＦアンプ１１より出力される誤差信号に基づいて、サーボ機構１３を制御するためのフォーカスサーボ制御信号やトラッキングサーボ制御信号を生成する。生成されたフォーカスサーボ制御信号やトラッキングサーボ制御信号は、サーボ機構１３へ出力される。言い換えれば、フォーカスエラーやトラッキングエラーの発生を抑制すべく、ＲＦアンプ１１より出力される誤差信号に基づいて、サーボ機構１３をフィードバック制御する。【００５９】
コンテンツデータデコード部１５は、ＲＦアンプ１１より出力されるＲＦ信号をデコードすることで、映像ストリームや音声ストリームを含むストリーム信号を生成する。生成されたストリーム信号は、速度調整部１９へ出力される。【００６０】
復号化部１６は、ストリーム信号を復号化し、再生信号を生成する。生成された再生信号は、外部出力端子６０を介して、例えばディスプレイやスピーカ等の外部出力機器へ出力され、指定された再生速度にて、光ディスク１００に記録されているコンテンツデータに応じた映像や音声として再生される。【００６１】
尚、復号化部１６より出力される再生信号に対して所定の変調処理を施した後に、変調処理が施された再生信号を外部出力機器へ出力するように構成してもよい。より具体的には、例えば再生信号に対して鋸波による変調を施してもよいし、例えば再生信号に対して矩形波による変調を施してもよいし、例えば再生信号に対してドップラー効果を生じさせる変調を施してもよいし、例えば再生信号に対してジェット機音を模した特殊な波形による変調を施してもよいし、例えば再生信号に対して拳銃の発射音を模した特殊な波形による変調を施してもよいし、或いはユーザ等が予め設定しておいた様々な特殊な波形による変調を施してもよい。これらの変調は、操作部４０における図示しない操作キーをユーザが操作することで行われることが好ましい。【００６２】
コントロールデータデコード部１７は、ＲＦアンプ１１より出力されるＲＦ信号をデコードすることで、コンテンツデータの再生を制御するためのコントロールデータを生成する。コントロールデータは、例えば光ディスク１００のリードインエリアに記録されているＴＯＣデータ等や、ストリーム信号に含まれて記録される同期データや、コンテンツデータが再生される際の時間経過情報が含まれるサブコードデータ等が一具体例として挙げられる。生成されたコントロールデータは、システムコントローラ２０へ出力され、コンテンツデータの再生を制御するために用いられる。【００６３】
スピンドルサーボ回路１８は、システムコントローラ２０から指示されたスピンドルモータ１２の回転速度に対する同期データの誤差を検出し、その誤差の発生を抑制すべくスピンドルモータ１２の回転をフィードバック制御する。【００６４】
尚、上述した構成要素のうち、光ピックアップ１０と、ＲＦアンプ１１と、コンテンツデータデコード部１５と、復号化部１６等との組合せが、本発明における「再生手段」の一具体例を構成する。【００６５】
システムコントローラ２０は、マイクロプロセッサ（ＭＰＵ）を備え、予め設定されているシステムプログラム（ないしは、ファームウェア等）を実行することにより、光ディスク再生装置１全体の動作を集中制御する。【００６６】
メモリ２１は、光ディスク再生装置１の動作に必要な各種データ等を一時的に格納するＲＡＭ領域や、或いはシステムコントローラ２０の動作を規定するシステムプログラム等を格納するＲＯＭ領域等を備えている。【００６７】
また、システムコントローラ２０には、操作部４０と、表示部５０とが接続されている。操作部４０に設けられている各種操作キーからの指示データは、システムコントローラ２０に出力され、システムコントローラ２０は、指示データに応じてコンテンツデータの再生を制御する。また、システムコントローラ２０は、表示部５０における表示動作を制御する。【００６８】
操作部４０は、本発明における「操作装置」の一具体例を構成しており、ジョグダイヤル４１と、パルスカウンタ４２と、テンポスライダ４３と、Ａ／Ｄコンバータ４４と、表示部５０とを備えている。【００６９】
ジョグダイヤル４１は、本発明における「操作子」の一具体例を構成しており、両方向に回転自在な円盤形状の操作キーである。ユーザ等がジョグダイヤル４１の回転方向と回転速度を適宜に変化させて操作すると、その回転方向に応じてフォワード再生とリバース再生を設定することができ、更に、その回転速度に応じて、スピーカやヘッドフォンで再生される楽曲等の音調等を変化させることができるようになっている。【００７０】
尚、上記のフォワード再生とは、ＬＰ等のアナログレコードを順方向に回転させて楽曲等を再生させた場合と同様に、光ディスク１００のコンテンツデータを、記録されている順に再生することを言う。したがって、ジョグダイヤル４１が時計回り方向に回転操作されるのに応じて、楽曲等を通常の音として再生するようになっている。また、本実施例では、ジョグダイヤル４１が停止されているときにも、フォワード再生が行われるようになっている。【００７１】
一方、上記のリバース再生とは、アナログレコードを逆方向に回転させて音楽等を再生させた場合と同様に、光ディスク１００のコンテンツデータを、記録されている順とは逆の順番で再生することを言う。つまり、アナログレコードでは音楽等が連続記録（アナログ記録）されているため、アナログレコードを逆方向に回転させると、楽曲等を逆の方向から再生することになって、本来の音楽等とは違った擬音が再生されることになるが、ジョグダイヤル４１が反時計回り方向に回転操作されると、光ディスク１００にデジタル記録されている個々のコンテンツデータを逆の順番で再生することにより、あたかもアナログレコードを逆方向に回転させて再生させた場合と同様の擬音を生じさせるようになっている。【００７２】
このようにアナログレコードをリバース再生するのと同様の機能を備えたことで、例えばユーザ等がジョグダイヤル４１を時計回り方向と反時計回り方向へ敏速に往復回転を繰り返すと、所謂スクラッチ音と呼ばれる擬音（「キュキュ」、「ガシャガシャ」等の擬音）を生じさせることができる。そして、所謂ディスクジョッキーと呼ばれる演奏者が、上記のスクラッチ音等を生じさせるべくジョグダイヤル４１を操作すると、ＣＤやＤＶＤを用いてラップ音楽等を生成するための編集を行うことが可能となっている。【００７３】
パルスカウンタ４２は、ジョグダイヤル４１の回転操作に伴って発生するパルスのパルス幅（ないしは、パルス数等）をカウントすることで、ジョグダイヤル４１の回転速度（ないしは、角速度）を検出する。加えて、ジョグダイヤル４１の回転操作に伴って発生するパルスに基づいて、ジョグダイヤル４１の回転方向を検出する。検出されたジョグダイヤル４１の回転方向及び回転速度は、システムコントローラ２０に出力される。これにより、システムコントローラ２０は、ユーザ等が操作したジョグダイヤル４１の操作量を認識し、その操作量に応じたイフェクト処理等を行わせる。【００７４】
テンポスライダ４３は、例えば上下方向にスライド可能なスライダボタンを備えている。ユーザ等がスライダボタンを上下方向に移動させることで、コンテンツデータの再生速度を適宜変更することができる。例えば、スライダボタンを上方向に移動させることで、コンテンツデータの再生速度を相対的に遅くしたり、或いはスライダボタンを下方向に移動させることで、コンテンツデータの再生速度を相対的に速くしたりすることができる。スライダボタンの移動量は、移動量に応じたアナログ値として検出され、Ａ／Ｄコンバータ４４に出力される。【００７５】
Ａ／Ｄコンバータ４４は、アナログ値として検出されるテンポスライダ４３が備えるスライダボタンの移動量をデジタル値に変換した後、システムコントローラ２０に出力する。これにより、システムコントローラ２０は、スライダボタンの移動量に応じて、コンテンツデータの再生速度を相対的に早くないしは相対的に遅くすることができる。【００７６】
表示部５０は、コンテンツデータの再生に伴う各種情報を表示する。表示部５０は、例えば液晶ディスプレイや蛍光管等の表示パネルを備えており、システムコントローラ２０の制御を受けて各種情報を表示する。【００７７】
図２に示すように、操作部４０の外観には、ジョグダイヤル４１と、操作ボタン４０２と、テンポスライダ４３と、表示部５０を備えられている。【００７８】
操作ボタン４０２は、ユーザにより押下可能なボタンであって、操作ボタン４０２をユーザが押下することで、光ディスク再生装置１の動作を変更可能に構成されている。具体的には、ユーザは、操作ボタン４０２を押下することで、コンテンツデータの再生や早送りや巻き戻しや一時停止や所定のキューポイントからの再生開始等を指示することができる。【００７９】
表示部５０には、楽曲を含むコンテンツデータの再生に応じた各種情報が表示されている。例えば、表示部５０の上段には、現在再生しているコンテンツデータのトラック番号や、現在再生しているコンテンツデータの経過時間（即ち、現在の再生時間）や、現在光ディスク再生装置１にローディングされている光ディスク１００に記録されているコンテンツデータの総トラック数等が表示される。図２に示す表示の例では、現在トラック番号３番のコンテンツデータが再生されており、再生開始から１分１５秒が経過し、更には光ディスク再生装置１にローディングされている光ディスク１００に記録されているコンテンツデータの総トラック数は“１６”であることを認識できる。【００８０】
また、表示部５０の下段には、再生時間軸に沿ったコンテンツデータのビート密度等がウェーブ表示されている。或いは、現在再生されているコンテンツデータの周波数帯域毎の信号強度等がウェーブ表示されていてもよい。【００８１】
もちろん、図２に示した表示部５０における表示内容は一具体例であって、その他の各種情報等が表示されてもよいことは言うまでもない。【００８２】
（２）具体的構成
続いて、図３及び図４を参照して、本実施例に係る操作部４０が備えるジョグダイヤル４１に関連する具体的な構成について説明する。ここに、図３は、ジョグダイヤル４１を操作部４０より外した場合の操作部４０の外観（言い換えれば、ジョグダイヤル４１を支える構造）を概念的に示す平面図であり、図４は、ジョグダイヤル４１を支えるローラー等の構成を具体的に示す斜視図である。【００８３】
図３に示すように、ジョグダイヤル４１は、例えば９つのローラー４１１に支えられている。９つのローラー４１１の夫々は、本発明における「保持部材」の一具体例を構成しており、例えば同心円状に且つ等間隔で配置されている。そして、９つのローラー４１１の夫々は、本発明における「ベース部材」の一具体例を構成するローラー保持部４１２により支えられている。ローラー保持部４１２は、ジョグダイヤル保持部４１３の一部に相当する。【００８４】
図４に示すように、ローラー４１１は、本発明の「第１保持部分」の一具体例を構成する第１ローラー４１１１と、本発明の「第２保持部分」の一具体例を構成するシャフト４１１２ａ及び４１１２ｂとを備えている。【００８５】
シャフト４１１２ａ及び４１１２ｂは、第１ローラー４１１１よりも小さい径を有しており、本発明における「第１ベース部分」の一具体例を構成する軸受け部４１２１ａ及び４１２１ｂに支えられている。これにより、ローラー４１１は、回転することができるようにローラー保持部４１２により保持されている。【００８６】
第１ローラー４１１１は、ジョグダイヤル４１と直接的に接触しており、ジョグダイヤル４１の回転操作に伴って、第１ローラー４１１１が回転し、それに伴って、軸受け部４１２１ａ及び４１２１ｂに保持されているシャフト４１１２ａ及び４１１２ｂも回転する。つまり、軸受け部４１２１ａ及び４１２１ｂが、ローラー４１１の回転軸方向に直交する方向（言い換えれば、ジョグダイヤル４１の表面の法線に沿った方向）において、シャフト４１１２ａ及び４１１２ｂを支えており、第１ローラー４１１１が、ローラー４１１の回転軸方向に直交する方向（言い換えれば、ジョグダイヤル４１の表面の法線に沿った方向）において、ジョグダイヤル４１を支えている。これにより、ジョグダイヤル４１の滑らかな回転操作が実現される。【００８７】
加えて、第１ローラー４１１１と軸受け部４１１２ａ及び４１１２ｂとの間には、所定の間隙があることが好ましい。これにより、ジョグダイヤル４１のより滑らかな回転操作が実現される。【００８８】
シャフト４１１２ａ及び４１１２ｂの先端（言い換えれば、ローラー４１１の両端）は、先細りの形状（或いは、錐状の形状）を有している。但し、必ずしも先端がとがっている必要はなく、シャフト４１１２ａ及び４１１２ｂの先端が、シャフト４１１２ａ及び４１１２ｂの先端以外の部分よりも細い径を有していれば足りる。【００８９】
ローラー保持部４１２は更に、シャフト４１１２ａ及び４１１２ｂの先端に隣接又は近接するように板状の樹脂バネ４１２２ａ及び４１２２ｂを備えている。樹脂バネ４１２２ａ及び４１２２ｂは、本発明における「第２ベース部分」及び「弾性部材」の一具体例を構成しており、ローラー４１１の回転軸方向に沿った方向に力が加えられた場合に、ローラー保持部４１２との接点を支点として湾曲するように構成されている。【００９０】
また、第２ローラー４１１２ａ及び４１１２ｂの先端と、樹脂バネ４１２２ａ及び４１２２ｂとの間には、所定の間隙があることが好ましい。【００９１】
このような構成を有するがゆえに、ローラー４１１が、ローラー４１１の回転軸方向に沿った方向に移動した場合には、シャフト４１１２ａ又は４１１２ｂの先端が、樹脂バネ４１２２ａ又は４１２２ｂに衝突する。以下、ローラー４１１が、ローラー４１１の回転軸方向に沿った方向に移動した場合の態様について、図５及び図６を参照しながら説明を進める。ここに、図５は、ローラー４１１が、ローラー４１１の回転軸方向に沿った方向に移動していない場合の、ローラー４１１及びローラー保持部４１２の様子を概念的に示す平面図であり、図６は、ローラー４１１が、ローラー４１１の回転軸方向に沿った方向に移動した場合の、ローラー４１１及びローラー保持部４１２の様子を概念的に示す平面図である。【００９２】
図５に示すように、ローラー４１１が、ローラー４１１の回転軸方向に沿った方向に移動していない場合には、シャフト４１１２ａ及び４１１２ｂの先端は樹脂バネ４１２２ａ及び４１２２ｂには接触しておらず、且つ第１ローラー４１１１は軸受け部４１２１ａ及び４１２１ｂには接触していない。このため、ジョグダイヤル４１の回転操作に伴って、ローラー４１１が円滑に回転すると共に、ジョグダイヤル４１の回転操作に伴ってノイズは発生しない。【００９３】
図６に示すように、ローラー４１１が、ローラー４１１の回転軸方向に沿った方向（より具体的には、図６中左側）に移動した場合には、シャフト４１１２ｂの先端は、樹脂バネ４１２２ｂに衝突する。このとき、樹脂バネ４１２２ｂは、樹脂バネ４１２２ｂが備える弾性に起因して湾曲し、シャフト４１１２ｂとの衝突の衝撃を和らげる。言い換えれば、樹脂バネ４１２２ｂが、ローラー４１１の回転軸方向に沿ったローラー４１１の急激な移動を抑制している。【００９４】
これにより、シャフト４１１２ｂの先端と樹脂バネ４１２２ｂとが衝突しても、該衝突によって生ずるノイズを相対的に低減する或いはなくすことができる。言い換えれば、ローラー４１１が、ローラー４１１の回転軸方向に沿った方向に移動することによって生ずるノイズを相対的に低減する或いはなくすことができる。このため、ユーザがジョグダイヤル４１を操作している際に、不要なノイズの発生を抑えることができ、ジョグダイヤル４１を操作しているユーザに不快な印象を与えないという利点を享受することができる。【００９５】
仮に、ローラー保持部４１２が樹脂バネ４１２２ｂを備えていないとする。このとき、ローラー４１１が、ローラー４１１の回転軸方向に沿った方向に移動した場合には、剛体である第１ローラー４１１１が剛体である軸受け部４１２１ａ又は４１２１ｂに衝突する。このため、ローラー４１１が、ローラー４１１の回転軸方向に沿った方向に移動することによって生ずるノイズは、相対的に大きなノイズになる。これは、ジョグダイヤル４１を操作しているユーザに不快な印象を与えかねず好ましくない。しかるに、本実施例によれば、ノイズを相対的に低減する或いはなくすことができるという大きな利点を享受することができる。【００９６】
加えて、ローラー４１１の衝突の衝撃を吸収又は和らげるためにグリス等の潤滑油をシャフト４１１２ａ及び４１１２ｂと軸受け部４１２１ａ及び４１２１ｂとの間に塗布する必要もない。このため、操作部４０を製造する際の負担を軽減することができる。更には、グリス等の潤滑油が流れ出すことで接点不良等の不都合が生ずるリスクをなくすことができる。【００９７】
但し、ノイズを低減させる利点を享受するという点からは、グリス等の潤滑油を、例えばシャフト４１１２ａ及び４１１２ｂと軸受け部４１２１ａ及び４１２１ｂとの間に塗布するように構成してもよい。【００９８】
加えて、シャフト４１１２ａ及び４１１２ｂの先端が先細りの形状を有しているため、シャフト４１１２ａ及び４１１２ｂの先端と樹脂バネ４１２２ａ及び４１２２ｂとが衝突した場合であっても、ローラー４１１の回転に対して大きな抵抗とはならない。従って、ローラー４１１の滑らかな回転を維持することができ、その結果、ジョグダイヤル４１を操作するユーザに違和感を感じさせることなく、上述した各種利益を享受することができる。【００９９】
但し、シャフト４１１２ａ及び４１１２ｂの先端は、樹脂バネ４１２２ａ及び４１２２ｂとの接触面積が相対的に小さければ、必ずしも先細りの形状（或いは、錐状の形状であって、樹脂バネ４１２２ａ及び４１２２ｂと略点で接触する形状）を有していなくともよい。言い換えれば、シャフト４１１２ａ及び４１１２ｂの先端は、先端以外の部分よりも径が小さい（或いは、細い）形状を有していてもよい。まとめると、シャフト４１１２ａ及び４１１２ｂの先端は、ローラー４１１の円滑な回転を妨げない程度にしか樹脂バネ４１２２ａ及び４１２２ｂと接触しなければ、どのような形状であってもよい。【０１００】
また、シャフト４１１２ａ及び４１１２ｂの太さが一定であってもよい。言い換えれば、即ち、シャフト４１１２ａ及び４１１２ｂの先端と樹脂バネ４１２２ａ及び４１２２ｂとの接触面積が相対的に大きくなるように構成してもよい。このように構成しても、上述したノイズの低減については相応の効果を享受することができる。【０１０１】
また、上述の実施例では、樹脂バネ４１２２ａ及び４１２２ｂは、ローラー保持部４１２と一体成型されている。つまり、樹脂バネ４１２２ａ及び４１２２ｂは、ローラー保持部４１２と同一の材料を含んで構成されている。このように構成することで、樹脂バネ４１２２ａ及び４１２２ｂを備えるローラー保持部４１２を、比較的容易に製造することができる。【０１０２】
但し、樹脂バネ４１２２ａ及び４１２２ｂは、ローラー保持部４１２と異なる材料を含んで構成されていてもよい。このように構成することで、樹脂バネ４１２２ａ及び４１２２ｂの弾性係数等を任意に設定することができる。その結果、ノイズの発生の低減の程度や樹脂バネ４１２２ａ及び４１２２ｂの剛性の程度を任意に設定することができる。つまり、操作部４０の設計の幅を広げることができる。【０１０３】
更に、上述した板状の樹脂バネ４１２２ａ及び４１２２ｂを用いることに加えて又は代えて、例えば板状の金属バネや、コイルスプリングや、各種ゴム等を用いるように構成してもよい。また、これら以外のものであっても、ローラー４１１が、ローラー４１１の回転軸方向に沿った方向に移動する際に生ずるノイズ（言い換えれば、ローラー４１１の回転軸方向に沿った方向へのローラー４１１の移動に伴う衝突の衝撃）を和らげることができる部材や形状等を有するものも、板状の樹脂バネ４１２２ａ及び４１２２ｂに加えて又は代えて、本実施例に係る操作部４０に用いることができることは言うまでもない。つまり、ローラー４１１の移動に対して弾性を備える部材（つまり、弾性部材）であれば、板状の樹脂バネ４１２２ａ及び４１２２ｂに加えて又は代えて、本実施例に係る操作部４０に用いることができることは言うまでもない。【０１０４】
（３）変形例
続いて、図７を参照して、変形例に係るジョグダイヤル４１を支えるローラー等の構成について説明する。ここに、図７は、変形例に係るジョグダイヤル４１を支えるローラー等の構成を具体的に示す平面図である。【０１０５】
図７に示すように、変形例に係るローラー４２１は、上述したローラー４１１と同様に、第１ローラー４２１１と、シャフト４２１２ａ及び４２１２ｂを備えている。また、変形例に係るローラー保持部４２２は、上述したローラー保持部４１２と同様に、軸受け部４２２１ａ及び４２２１ｂを備える。【０１０６】
変形例に係るローラー４２１は特に、本発明における「第３保持部材」の一具体例を構成する第２ローラー４２１３ａ及び４２１３ｂを備える。第２ローラー４２１３ａ及び４２１３ｂは、それ自体が弾性を備える弾性部材を含んで構成されている。特に、第２ローラー４２１３ａ及び４２１３ｂは、軸受け部４２２１ａ及び４２２１ｂに隣接又は近接する位置（言い換えれば、軸受け部４２２１ａ及び４２２１ｂに衝突する位置）に、弾性部材を含んでいることが好ましい。或いは、第２ローラー４２１３ａ及び４２１３ｂの全体が、弾性部材を含んで構成されていてもよい。【０１０７】
このような弾性部材を含む第２ローラー４２１３ａ及び４２１３ｂを備えることで、ローラー４２１が、ローラー４２１の回転軸方向に沿った方向（より具体的には、図７中左側）に移動した場合には、第２ローラー４２１３ｂは、軸受け部４２１２ｂに衝突する。このとき、第２ローラー４２１３ｂが弾性部材を備えていることから、第２ローラー４２１３ｂと軸受け部４２２１ｂとの衝突の衝撃が和らげられる。言い換えれば、第２ローラー４２１３ｂが含む弾性部材が、ローラー４２１の回転軸方向に沿ったローラー４２１の急激な移動を抑制している。【０１０８】
これにより、第２ローラー４２１３ｂと軸受け部４２２１ｂとが衝突することによって生ずるノイズを相対的に低減する或いはなくすことができる。言い換えれば、ローラー４２１が、ローラー４２１の回転軸方向に沿った方向に移動することによって生ずるノイズを相対的に低減する或いはなくすことができる。このため、ユーザがジョグダイヤル４１を操作している際に、不要なノイズの発生を抑えることができ、ジョグダイヤル４１を操作しているユーザに不快な印象を与えないという利点を享受することができる。同様に、変形例に係るローラー４２１及びローラー保持部４２２によれば、上述したローラー４１１及びローラー保持部４１２により実現される利点をも好適に享受することができる。【０１０９】
また、上述したローラー４１１及びローラー保持部４１２の構成と、変形例に係るローラー４２１及びローラー保持部４２２の構成とを適宜組み合わせてもよい。このように組み合わせても、上述した各種利益を享受することができることは言うまでもない。【０１１０】
本発明は、上述した実施例に限られるものではなく、請求の範囲及び明細書全体から読み取れる発明の要旨或いは思想に反しない範囲で適宜変更可能であり、そのような変更を伴なう操作装置及び再生装置もまた本発明の技術的範囲に含まれるものである。
【産業上の利用可能性】
【０１１１】
本発明に係る操作装置及び再生装置は、例えばＤＪ機器等に備えられているジョグダイヤル等の操作装置、及びＤＪ機器等を含む再生装置に利用可能である。
【図１】
0004748535.tif 000002
【図２】
0004748535.tif 000003
【図３】
0004748535.tif 000004
【図４】
0004748535.tif 000005
【図５】
0004748535.tif 000006
【図６】
0004748535.tif 000007
【図７】
0004748535.tif 000008